(57)【要約】  本発明は、複数の表示画素を有するディスプレイと、データ信号を受付するデータ入力と、少なくとも１つのフレーム期間中に各表示画素の全体輝度値により画像を前記ディスプレイ上に生成するため、前記表示画素に前記データ信号を分配するコントローラと、を有するアクティブマトリックス表示装置に関する。本装置は、表示画素の少なくも一部に対してフレーム期間を分割し、少なくとも１つの部分の表示画素が、フレーム期間の第１サブ期間中に非ゼロの第１輝度レベルと、フレーム期間の第２サブ期間中に非ゼロの第２輝度レベルとによる光出力を少なくとも有するものとなるよう構成され、輝度レベルの時間平均和は、全体輝度レベルに実質的に等しくなるよう構成される。
2007503610.tif 000002
【特許請求の範囲】
【請求項１】
複数の表示画素を有するディスプレイと、
データ信号を受付するデータ入力と、
少なくとも１つのフレーム期間中に各表示画素の全体輝度値により画像を前記ディスプレイ上に生成するため、前記表示画素に前記データ信号を分配するコントローラと、
を有するアクティブマトリックス表示装置であって、
当該装置は、前記表示画素の少なくも一部に対して前記フレーム期間を分割し、前記少なくとも１つの部分の表示画素が、前記フレーム期間の第１サブ期間中に非ゼロの第１輝度レベルと、前記フレーム期間の第２サブ期間中に非ゼロの第２輝度レベルとによる光出力を少なくとも有するものとなるよう構成され、
前記輝度レベルの時間平均和は、前記全体輝度レベルに実質的に等しい、
ことを特徴とする表示装置。
【請求項２】
請求項１記載のアクティブマトリックス表示装置であって、
前記ディスプレイは、カラーディスプレイであって、
前記部分は、カラーにより規定される、
ことを特徴とする表示装置。
【請求項３】
請求項１記載のアクティブマトリックス表示装置であって、
当該装置は、前記ディスプレイの１以上の特定領域を決定するよう構成され、
前記部分は、前記領域により規定される、
ことを特徴とする表示装置。
【請求項４】
請求項１記載のアクティブマトリックス表示装置であって、
当該装置は、前記表示画素が光り出力を有する合計時間を決定するよう構成され、
前記部分は、前記合計時間により規定される、
ことを特徴とする表示装置。
【請求項５】
請求項１記載のアクティブマトリックス表示装置であって、
前記第１輝度レベルは、前記第２輝度レベルを上回ることを特徴とする表示装置。
【請求項６】
請求項１記載のアクティブマトリックス表示装置であって、
前記第１サブ期間は、前記第２サブ期間より短いデュレーションを有することを特徴とする表示装置。
【請求項７】
請求項１記載のアクティブマトリックス表示装置であって、
当該装置は、前記部分の表示画素を選択する選択信号を供給するよう構成され、
前記選択信号は、前記第１サブ期間をトリガーする第１選択信号と、前記第２サブ期間をトリガーする第２選択信号とを少なくとも有する、
ことを特徴とする表示装置。
【請求項８】
請求項１記載のアクティブマトリックス表示装置であって、
前記表示画素は、駆動素子により駆動される電流発光素子を有し、
当該装置は、電流発光素子の少なくとも一部が、前記第１サブ期間では前記第１輝度レベルに、前記第２サブ期間では前記第２輝度レベルに少なくとも駆動されるように、前記駆動素子の電圧を変化させるよう構成される、
ことを特徴とする表示装置。
【請求項９】
請求項１記載のアクティブマトリックス表示装置であって、
前記ディスプレイは、アクティブマトリックス液晶ディスプレイであり、
当該装置は、バックライトを有し、前記少なくとも１つの部分の表示画素の光出力が、前記第１サブ期間中に前記第１輝度レベルを、前記第２サブ期間中に前記第２輝度レベルを生成するよう前記バックライトを制御するよう構成される、
ことを特徴とする表示装置。
【請求項１０】
請求項９記載のアクティブマトリックス表示装置であって、
前記ディスプレイは、カラーディスプレイであり、
前記バックライトは、ＬＥＤバックライト又はカラーシーケンシャルバックライトである、
ことを特徴とする表示装置。
【請求項１１】
請求項１記載のアクティブマトリックス表示装置であって、
当該装置は、前記第２輝度レベルが、前記第１輝度レベルより低いか、又は３０％となる輝度を有するよう前記光出力を生成するよう構成されることを特徴とする表示装置。
【請求項１２】
請求項１乃至１１何れか一項記載のアクティブマトリックス表示装置を有することを特徴とする電子装置。
【発明の詳細な説明】
【技術分野】
【０００１】
本発明は、複数の表示画素を有するディスプレイと、データ信号を受信するデータ入力と、少なくとも１フレーム期間中に各表示画素の全体輝度値により前記ディスプレイ上に画像を生成するため、前記表示画素に前記データ信号を分配するコントローラとを有するアクティブ表示装置に関する。
【０００２】
前記ディスプレイは、好ましくは、ＰＬＥＤ（Ｐｏｌｙｍｅｒ  Ｌｉｇｈｔ  Ｅｍｉｔｔｉｎｇ  Ｄｉｏｄｅ）やＳＭＯＬＥＤ（Ｓｍａｌｌ  Ｍｏｌｅｃｕｌｅ  Ｌｉｇｈｔ  Ｅｍｉｔｔｉｎｇ  Ｄｉｏｄｅ）、又は発光型無機ＥＬ（ｅｌｅｃｔｒｏｌｕｍｉｎｅｓｃｅｎｔ）素子や電界放出装置などを有する発光型ディスプレイ、あるいはアクティブマトリックスＬＣＤ（Ｌｉｑｕｉｄ  Ｃｒｙｓｔａｌ  Ｄｉｓｐｌａｙ）、電気泳動ディスプレイ、エレクトロウェッティング（ｅｌｅｃｔｒｏｗｅｔｔｉｎｇ）ディスプレイ、エレクトロクロミック（ｅｌｅｃｔｒｏｃｈｒｏｍｉｃ）ディスプレイなどの光遮断型ディスプレイである。
【背景技術】
【０００３】
ホールドタイプの表示装置は、サンプル／ホールド効果の影響を受けることが知られている。これらの効果は、各フレーム期間において、フレーム期間の開始時に新しい画像が表示され（サンプル）、フレーム期間の残り（典型的には。６０Ｈｚ動作時には１６ｍｓ）において当該画像がディスプレイ上に表示され続ける（ホールド）という事実から生ずるものである。この効果は、動画が表示される場合、ぼやけた画像として視聴者に与えられる。
【０００４】
この画像ぼやけ効果は、フレーム期間を２つのサブフレームに時間分割するパルスモードによりディスプレイを動作させることにより低減することができる。画像は、これらサブフレームの１つのみの期間中に表示される。しかしながら、このパルスモード動作は、高い輝度レベルを実現することが困難であるため効果的ではない。
【０００５】
ＵＳ２００２／０００３５２０は、以降の信号が画素に入力されるまで、前の画像の輝度を維持するホールドタイプ表示装置を開示している。ここでは、１つの画像を表示するフレームが複数のサブフレームに時分割され、後のサブフレームの輝度が入力された画像の輝度に従い指定された比率により減衰される。このようにして得られる表示装置は、動画が不鮮明になったり、ぼやけたりすることを回避することができ、画像の輝度の低下を制御することができる。
【０００６】
従来の表示装置は、それが用途に関してフレキシブルではない、すなわち、遭遇する可能性のある各種状況に対処するよう適応されるものではないという点で効果的なものではない。
【発明の開示】
【発明が解決しようとする課題】
【０００７】
本発明の課題は、よりフレキシブルな表示装置を提供することである。
【課題を解決するための手段】
【０００８】
上記課題は、当該装置が、表示画素の少なくも一部に対してフレーム期間を分割し、少なくとも１つの部分の表示画素が、フレーム期間の第１サブ期間中に非ゼロの第１輝度レベルと、フレーム期間の第２サブ期間中に非ゼロの第２輝度レベルとによる光出力を少なくとも有するものとなるよう構成され、輝度レベルの時間平均和は、全体輝度レベルに実質的に等しいものとされることを特徴とするアクティブマトリックス表示装置により実現される。このように得られた表示装置は、表示画素の特定部分がフレーム時間内に異なる輝度レベルによる光出力を有することができるため、よりフレキシブルなものとなる。上記部分は、カラーディスプレイの表示画素のカラー、ディスプレイ上の特定領域に属する表示画素及び／又は表示画素が光出力を有していた合計時間を含む、直面する特定の状況に適した１以上の基準により規定することができる。このような部分は、例えば、ディスプレイの一部のみがサンプル／ホールド効果を被る可能性がある状況、又は表示画素群の劣化の可能性が使用過多により生ずる状況に適しているかもしれない。
【０００９】
ここで、表示画素からの光出力は、発光型ディスプレイの発光素子による発光及び光遮断タイプディスプレイの表示画素による光の反射又は透過を含むいくつかの方法により取得することができるということに留意されたい。
【００１０】
好適な実施例では、第１輝度レベルは第２輝度レベルを上回り、及び／又は、第１サブ期間と第２サブ期間は、第１サブ期間が第２サブ期間より短いデュレーションを有するなど、異なるデュレーションを有する。表示画素がフレーム期間の５０％未満の第１輝度レベルを発光し、第１輝度レベルが第２輝度レベルを上回る場合、サンプル／ホールド効果がさらに低減される。
【００１１】
本発明の実施例では、アクティブマトリックス表示装置は、部分の表示画素を選択する選択信号を供給するよう構成され、この選択信号は、第１サブ期間をトリガーする第１選択信号と、第２サブ期間をトリガーする第２選択信号とを少なくとも有する。本実施例では、部分の表示画素は、各種アドレッシングパルスを上記表示画素に供給することによって、サブ期間を実現するよう各フレーム期間の複数回アドレッシングされる。このようにして、サブ期間の間の輝度レベルの配分が、各種サブ期間の輝度レベルの和が全体の輝度を生成する限り、自由に選ぶことが可能となる。
【００１２】
本発明の実施例では、表示画素は、駆動素子により駆動されるＰＬＥＤやＳＭＯＬＥＤ素子などの電流発光素子を有し、本装置は、電流発光素子の少なくとも一部が、第１サブ期間では第１輝度レベルに、第２サブ期間では第２輝度レベルに少なくとも駆動されるように、駆動素子の電圧を変化させるよう構成される。本発明のさらなる他の実施例では、ディスプレイは、アクティブマトリックス液晶ディスプレイであり、本装置は、バックライトを有し、少なくとも１つの部分の表示画素の光出力が、第１サブ期間（Ｆ１）中に第１輝度レベルを、第２サブ期間（Ｆ２）中に第２輝度レベルを生成するようバックライトを制御するよう構成される。複数のアドレッシングに関する上述の実施例とは対照的に、上記実施例は、データ信号の実質的処理を必要としない。表示画素を１度だけアドレッシングする間に、表示画素は第２サブ期間において暗くなりうる。
【００１３】
好適な実施例では、アクティブマトリックスディスプレイは、カラーディスプレイであり、バックライトは、ＬＥＤバックライト又はカラーシーケンシャルバックライトである。このようなバックライトは、赤色、緑色及び青色の光を分離する可能性を提供し、表示画素の光入力としてこれら光コンポーネントの個別制御を提供する。また、カラー部分は、カラーＬＣＤディスプレイのオプションとなる。
【００１４】
本発明の実施例では、アクティブマトリックス表示装置は、第２輝度レベルが、第１輝度レベルより低いか、又は３０％となる輝度を有するよう光出力を生成するよう構成される。認識についての研究は、第２輝度レベルが第１輝度レベルにおいて得られた輝度の３０％の輝度を生成したとしても、動きぼやけアーチファクトの許容される低減を観察者が認めることができることを明らかにしている。
【００１５】
上記実施例又はその特徴は組み合わされてもよいということが理解されるべきである。
【００１６】
本発明はさらに、上述の表示装置を有する電子装置に関する。このような電子装置は、携帯電話機、携帯情報端末（ＰＤＡ）又は携帯コンピュータなどの携帯装置と、パーソナルコンピュータ、テレビ装置、自動車のダッシュボード上などのディスプレイなどの装置に関する。
【００１７】
英国特許出願第０３１６８６２．２号は、電流駆動発光素子を有するアクティブマトリックス表示装置を記載している。当該ディスプレイのフレーム期間は、発光素子が非ゼロの第１電流をキャリーする第１サブ期間と、発光素子が非ゼロの第２電流をキャリーする第２サブ期間に分割される。これら非ゼロの第１及び第２電流は、実質的に各表示画素の全体輝度を与える。上記特許出願は、表示画素の一部を駆動するよう構成される表示装置を開示ものではなく、本発明により与えられるフレキシビリティを得ることはできない。
【００１８】
本発明はさらに、本発明による好適な実施例を示す添付された図面を参照して示される。本発明がこれら特定及び好適な実施例に制限されるものではないということが理解されるであろう。
【発明を実施するための最良の形態】
【００１９】
図１は、ロー４とカラム５のマトリックス状に構成された複数の表示画素３を有するアクティブマトリックスディスプレイを有する電子装置１を示す。ディスプレイ２は、好ましくは、ＰＬＥＤ（Ｐｏｌｙｍｅｒ  Ｌｉｇｈｔ  Ｅｍｉｔｔｉｎｇ  Ｄｉｏｄｅ）やＳＭＯＬＥＤ（Ｓｍａｌｌ  Ｍｏｌｅｃｕｌｅ  Ｌｉｇｈｔ  Ｅｍｉｔｔｉｎｇ  Ｄｉｏｄｅ）を有する表示画素３からなる発光型ディスプレイ、あるいはアクティブマトリックスＬＣＤ（Ｌｉｑｕｉｄ  Ｃｒｙｓｔａｌ  Ｄｉｓｐｌａｙ）、電気泳動ディスプレイ、エレクトロウェッティング（ｅｌｅｃｔｒｏｗｅｔｔｉｎｇ）ディスプレイ、エレクトロクロミック（ｅｌｅｃｔｒｏｃｈｒｏｍｉｃ）ディスプレイなどの光シャッタディスプレイである。あるいは、ディスプレイ２は、発光型無機ＥＬ（ｅｌｅｃｔｒｏｌｕｍｉｎｅｓｃｅｎｔ）素子を有する装置や電界放出装置であってもよい。ディスプレイ２は、動きアーチファクトが大型ディスプレイ上で一般に最も目に見えるものであるため、大型ディスプレイであってもよい。表示画素３の一部Ｓの一例が示される。
【００２０】
図２は、本発明の実施例による光出力プロファイルＰの図を示す。光出力プロファイルＰは、以下に説明及び図示される方法により表示画素３の一部Ｓから取得される。フレーム期間Ｆは、第１サブ期間Ｆ１と第２サブ期間Ｆ２に分割される。部分Ｓの表示画素３は、第１サブ期間Ｆ１中では第１輝度レベルＬ１により、第２サブ期間Ｆ２中では第２輝度レベルＬ２による光出力Ｌを有する。輝度レベルＬ１とＬ２の時間平均された和は、実質的に全体の輝度レベルに等しく、すなわち、本発明は、第１輝度レベルＬ１が表示用の従来技術による低減されたデューティサイクルプロファイルを表す破線表示されたプロファイルＱの高ピーク輝度レベルＬｈを比較して低減することができるように、有限の非ゼロの第２輝度レベルＬ２を維持することにより、同様の全体輝度レベル（＝プロファイルＰの下の積分領域）を実現する。これは、画像を表示可能な画質を変更するなど、表示画素３の一部Ｓのみの光出力の調整を可能にする。認識研究では、Ｌ２が３０％又はＬ１未満の場合であっても、動きぼやけアーチファクトが低減されたものとして認識されることが明らかにされている。
【００２１】
図２のプロファイルＰは簡単な例しか示していないことに留意されたい。以降のフレーム期間Ｆの光出力Ｌ１、サブ期間Ｆ２の安定レベル又は固定若しくは可変の比率に維持される光出力Ｌ２、及び対応する非ゼロの輝度レベルＬ１，Ｌ２，．．．，Ｌｎを有する複数のサブ期間Ｆ１，Ｆ２，．．．，Ｆｎを含むより複雑なプロファイルが生成されてもよい。サブ期間Ｆ１とＦ２は、異なるデュレーションを有するようにしてもよい。
【００２２】
図３Ａ〜３Ｃは、Ｌ１が取得される第１サブ期間Ｆ１とＬ２が取得される第２サブ期間Ｆ２にフレーム期間Ｆが時分割される表示画素３の部分Ｓの３つの具体例を示す。
【００２３】
図３Ａは、赤色（白丸）、緑色（薄灰色の丸）、又は青色（ダークグレイ）の発光素子を適用するサブ画素３を有するカラーディスプレイ２を示す。部分Ｓは、例えば、緑色の表示画素３がより光効率性が高く、極めて長い寿命を示すため、赤色（Ｒ）と青色（Ｂ）の表示画素３から構成される。本発明の実施例によると、Ｒ及びＢ表示画素３の部分Ｓは、図２のプロファイルＰに従って光出力Ｌを生成し、本駆動方法があまり必要とされないＧ表示画素３はプロファイルＱに従って光出力を生成する。このようにして、駆動処理が簡単化され、サンプル／ホールド効果がさらに低減される。
【００２４】
他の例では、部分Ｓは緑色サブ画素Ｇ３のみから構成され、Ｒ及びＢ表示画素３は非パルスモードにより起動される。すなわち、Ｒ及びＢ表示画素３は、フレーム期間Ｆにおいて一定の光出力を生成する。このようにして、駆動処理はさらに簡単化され、赤色及び青色の発光型要素は高い電流を受けず、許容される画像認識が維持され、（支配的な）緑色要素のサンプル／ホールド効果が低減されるため、表示ライフタイムが拡張される。
【００２５】
図３Ｂは、部分Ｓが特定領域Ａの表示画素３として画定される具体例を示す。当該領域Ａは、例えば、静止したバックグラウンドに映像を表示するウィンドウであってもよい。サンプル／ホールド効果はこのような状況において動画の領域Ａにのみ発生するとき、本発明の実施例は、領域Ａに対してのみ、第１輝度レベルＬ１と第２輝度レベルＬ２を有するそれぞれのフレームサブ期間Ｆ１とＦ２にフレーム期間Ｆを分割することを可能にする。領域Ａは、ディスプレイ上の位置に関して可変とされ、複数の領域Ａが存在する存在する可能性があることに留意されたい。部分Ｓに属しない表示画素は、例えば、一定の光出力を生成するため、他のモードにより駆動されてもよい。
【００２６】
図３Ｃは、部分Ｓが最も長い時間、光を出力する表示画素３として画定される具体例を示す。例えば、ディスプレイ２が連続的にアイコンＩを表示する場合、当該アイコンＩを表示する表示画素３は、長いオンタイムを有することとなる。ディスプレイ２が電流発光素子を有する場合、これら素子は時間とともにパフォーマンスが劣化することが知られている。この劣化は、当該画素を部分Ｓと規定し、第１輝度レベルＬ１が出力される第１サブ期間Ｆ１と、第２輝度レベルＬ２が出力される第２サブ期間Ｆ２とにフレーム期間Ｆを分割することにより遅延させることができる。あるいは、さらなる劣化の遅延について、アイコン画素が一定の光出力で駆動され、他の画素が図２のプロファイルＰにより駆動させることが可能である。
【００２７】
ここでは、他のタイプの部分Ｓが、本発明の真の趣旨から逸脱することなく包含できることが明示的に記載される。
【００２８】
次に、いくつかのタイプのディスプレイ２の具体例が、ディスプレイ２のタイプについて図２及び３に関して説明された本発明の実施例の実現のためのいくつかの具体例と共に説明される。
【００２９】
図４は、図５及び６に詳細に示される電流発光素子を有する図１に示されるような電子装置のＯＬＥＤディスプレイ２を有するアクティブマトリックス表示装置６の概略を示す。ディスプレイ２は、特にロー選択回路８とデータレジスタ８とを有するディスプレイコントローラ７を有する。ディスプレイ２に提示されるべき画像（映像）などの情報又はデータを有するデータ信号は、ディスプレイコントローラ７によりデータ入力１０を介し受信される。当該データは、データレジスタ８からデータライン１１を介し適切な表示画素３に書き込まれる。表示画素３のロー４の選択は、ディスプレイコントローラ７により制御されるロー選択回路８により選択ライン１２を介し実行される。表示画素３の選択と表示画素３へのデータの書き込みとの間の同期は、ディスプレイコントローラ７により実行される。さらに、ディスプレイコントローラ７は、電力ライン１３及び１５を介し表示画素３の電源を制御する。
【００３０】
図５及び６は、アクティブマトリックス表示装置６の表示画素３の回路構成の２つの具体例を示す。
【００３１】
図５は、駆動信号を電流駆動発光素子１４に印加するため、アドレッシングトランジスタＴ１、ストレージキャパシタＣ及び駆動素子Ｔ２を有する表示画素３の電圧アドレス回路構成を示す。トランジスタＴ１は、ライン１２を介しディスプレイコントローラ７から選択信号を受信するよう構成される。Ｔ１は、適切な選択信号が受信された場合、特定フレームのデータ信号をＴ２のゲートにわたす。Ｔ２は、ｐ−Ｓｉ薄膜トランジスタ（ＴＦＴ）であってもよく、電流駆動発光素子１４は、ＰＬＥＤ（Ｐｏｌｙｍｅｒ  Ｌｉｇｈｔ  Ｅｍｉｔｔｉｎｇ  Ｄｉｏｄｅ）やＳＭＯＬＥＤ（Ｓｍａｌｌ  Ｍｏｌｅｃｕｌｅ  Ｏｒｇａｎｉｃ  Ｌｉｇｈｔ  Ｅｍｉｔｔｉｎｇ  Ｄｉｏｄｅ）などの発光ダイオードであってもよい。電流発光素子１４は、赤色、青色又は緑色の光を発光するものであってもよい。Ｔ２のソース電極とキャパシタＣのプレートの１つが、電源ライン１３に接続されている。また、ライン１５を介し電圧がＴ２に印加されてもよい。
【００３２】
Ｔ２が飽和バイアスされている場合、それは一定電流ソースとして動作し、
【００３３】
【数１】
2007503610.tif 000003
に比例した電流をわたす。ただし、ＶＧＳはＴ２のゲートソース電圧であり、ＶＴは閾値電圧であり、μｆｅはＴ２の電界効果移動度である。その後、この一定の電流は、Ｔ２と接続される発光素子１４を介し駆動される。これにより、電流ソースは、Ｔ２のゲートに電圧を設定することによりプログラムされる。従来これは、ライン１２を介しＴ１をオンにし、信号電圧をデータレジスタ９からＴ２のゲートに転送することにより、２５μｓの短いアドレッシング時間の間に実現される。その後、Ｔ１はスイッチオフされ、プログラムされた電圧が、残りのフレーム期間ＦにおいてＴ２のゲートを介し維持される。ストレージキャパシタＣは、Ｔ１を通じた漏れを介し、当該ノードの感知可能な放電を防ぎ、これにより、ディスプレイ２のその他のローを逐次的に選択肢ながら、連続するＬＥＤ電流を可能にするようメモリを構成する。電圧アドレス表示画素３は、さらなるトランジスタを利用可能な多数の変形において知られていることに留意されたい。このような変形は、本発明の範囲内に属する。
【００３４】
他のカテゴリーの表示画素回路は、図６に示される電流アドレス画素回路３である。駆動トランジスタＴ２が、表示画素３のアドレッシングと発光素子１４の駆動の両方において利用される。好ましくは、Ｔ２は、本特徴に関して参照することにより本文に含まれる本出願人の同時係属中の英国特許出願第０３１６８６２．２（表示装置）に記載される理由のため、ショートチャネルＴＦＴである。データ入力信号は、電流ソースＩにより示され、ライン１１を介し電圧ではなく電流として印加される。アドレッシング期間中、駆動トランジスタＴ２は、トランジスタＴ４によりアドレッシングトランジスタＴ１にダイオード接続され、発光素子１４はトランジスタＴ３により回路から隔離される。このアドレッシング期間中、データ入力電流がＴ２を介し供給され、キャパシタＣはＴ２の関連するゲートソース電圧ＶＧＳに到達するようチャージされる。ここで、Ｔ１とＴ４をオープンにし、Ｔ３をクローズすることにより、ドレイン電流が発光素子１４に供給される。キャパシタＣのメモリ機能により、当該電流はライン１１を介し受信したデータ入力電流の完全なコピーとなることが保証される。
【００３５】
動作について、ディスプレイコントローラ７は、本発明の実施例において選択信号１８を生成し、この選択信号１８を選択ライン１２を介し表示画素の一部Ｓに供給する。選択信号１８は、図２に示されるように、第１サブ期間Ｆ１をトリガーする第１選択信号１８’と、第２サブ期間Ｆ２をトリガーする第２選択信号１８”とを有する。このため、表示画素３は、各種アドレッシングパルスを選択手段Ｔ１とＴ１、Ｔ３及びＴ４にそれぞれ供給することにより、各フレーム期間Ｆの１回以上電圧又は電流アドレッシングされる。ディスプレイコントローラ７は、部分Ｓに属する表示画素を決定し、入力１０を介し受信したデータ信号を処理し、フレーム期間Ｆの当該データ信号を、第１サブ期間Ｆ１において出力される第１輝度レベルＬ１及び第２サブ期間Ｆ２において出力される第２輝度レベルＬ２として分配する。また、電力及びアドレッシング時間を節約するため、各表示画素３に追加的なアドレッシングライン１２を設けることにより実現することが可能である。
【００３６】
他の実施例では、ディスプレイコントローラ７は、第１サブ期間Ｆ１中には、第１電流ｌ１が輝度レベルＬ１を生成するため発光素子１４に印加され、その後の第２サブ期間Ｆ２中には、輝度レベルＬ２を生成するため第２電流ｌ２が印加されるように、駆動素子Ｔ２の電圧を変化させるようにしてもよい。これは、表示画素３の一部Ｓに対してライン１３又は１５を介し電源を制御することにより実行され、遭遇する状況に対しコントローラ７により決定することができる。例えば、ディスプレイ２がカラーディスプレイである場合、表示装置６は、以下のような図３Ａについて説明されたような状況を実現するようにしてもよい。
【００３７】
典型的には、カラー表示画素３は、赤色、緑色及び青色発光素子１４を有し、表示装置６は、互いに独立に上記発光素子を駆動するよう調整される。発光素子１４の一部は、光出力に関して他のものより効率的であり、さらに、発光素子のライフタイムは色ごとに大きく変化するものであってもよい。特に、緑色の発光型有機ＬＥＤは高い光出力Ｌ、すなわち、より大きな電子ごとの光を生成し、極めて長いライフタイムを示す。従って、本発明の実施例では、ディスプレイ２は、発光素子１４又は表示画素３の一部Ｓを有し、装置６は、フレーム期間Ｆにおいて選択信号１８’及び１８”を２回印加してこれらの画素３をアドレッシングすることにより、部分Ｓの赤色及び青色表示画素３のみに第１非ゼロ電流と第２非ゼロ電流を供給する。あるいは、駆動素子Ｔ２の電圧は、部分ＳのＲ及びＢ表示画素３のライン１３又は１５を介し可変とすることができる。
【００３８】
他の例として、緑色の発光素子１４のみが、例えば、フレーム期間Ｆ中にこれらＧ表示画素３の駆動素子Ｔ２への電圧を変化させることにより操作され、赤色及び青色発光素子１４は、当該フレーム期間Ｆ中には一定の光出力により単に連続的に駆動される。このようにして、ディスプレイ２の駆動がさらに簡単化され、ディスプレイ２のライフタイムは、赤色及び青色発光素子１４が高電流パルスを受けないため拡大される。サンプル／ホールド効果は、支配的な緑色の発光素子１４を単に操作することにより認識において低減される。
【００３９】
同様の処理が、図３Ｂ及び３Ｃに示される部分Ｓの生成において発光型タイプのディスプレイ２に適用されてもよい。コントローラ７は、例えば、表示画素３がオンされていた合計時間を記録し、表示画素が部分Ｓに属すると決定される閾値時間を規定する。部分Ｓの上記表示画素３の光出力Ｌは、当該表示画素３のライフタイムを延長するため、光出力プロファイルＰを生成すべきである。
【００４０】
図７は、表示画素３を有するＬＣＤディスプレイ２を有するアクティブマトリックス表示装置６を図１の断面Ａ−Ａに沿って概略的に示す。光はバックライト２０から生成されるかもしれない。バックライト２０は、例えば、通常の白色バックライト、ＬＥＤを用いたバックライト（図３Ａに示されるようなカラー部分Ｓを用いるのに特に有用である）、又はシーケンシャルカラーバックライトであってもよい。あるいは、バックライト２０は、周囲の光を表示画素３に反射させるリフレクタと置換されてもよい。ディスプレイ２は、コントローラ２によりディスプレイ２の一部２３の液晶素子を制御及び切り替えるため、アクティブ回路（図示せず）に接続された導電性のアドレスライン及び駆動ライン２２の格子を有する。コントローラ７は、部分２３の液晶素子の偏光状態、これにより、表示画素３の光出力を決定する。コントローラ７はまた、使用されるバックライトの種類に応じて、ライン２４を介しバックライト２０を制御するようにしてもよい。従来から適用されているガラス板、偏光フィルタ及び／又はカラーフィルタなどの他のコンポーネントは、簡単化のため図７には示されていない。
【００４１】
本発明の実施例では、図７の表示装置６は、以下のように動作する。コントローラ７は、ウィンドウＡに表示されるデータ入力における映像データ信号をモニタする（図３Ｂを参照されたい）。当該ウィンドウＡに属する表示画素３は、コントローラ７により決定されるように、部分Ｓとして規定される。部分Ｓの表示画素３の光出力プロファイルＰは、前述のように、動きぼやけアーチファクトの認識を低減するのに適している。この光出力プロファイルＰは、例えば、ライン２１を介し部分Ｓの表示画素３を２回アドレッシングすることにより、サブ期間Ｆ１とＦ２にフレーム期間Ｆを分割することにより得られるようにしてもよい。液晶素子の偏光状態は、出力輝度レベルＬ１が第１サブ期間Ｆ１において取得され、第２フレーム期間Ｆ２において第２輝度レベルＬ２を得るため偏光状態がスイッチされるように、ライン２２を介し制御される。部分Ｓに属しない表示画素３は、それらの光出力プロファイルが一定となるように駆動されてもよい。あるいは、カラーＬＣＤ２については、部分Ｓは、緑色の表示画素３のみにより規定することもできる。緑色の表示画素はプロファイルＰを生成するよう駆動され、例えば、青色表示画素３はプロファイルＱを生成するよう駆動されてもよく、赤色表示画素は、フレーム期間Ｆの全体を通じて連続的な光出力Ｌを生成する。上記実施例は、ＵＳ２００２／０００３５２０の表示装置と比較して、コントローラにおける信号処理がより少なくて済むという効果を提供する。
【００４２】
本発明のさらなる他の実施例では、コントローラ７は、図２に示されるＬＣＤ２の光出力プロファイルＰを生成するため、ライン２４を介しバックライト２０を制御する。バックライト２０がＬＥＤナックライト又はカラーシーケンシャルバックライトである場合、コントローラ７は、表示画素が１回のみアドレッシングされる間に、ディスプレイ２に入力される光のカラー及び輝度レベルＬ１とＬ２を制御する。
【００４３】
図８は、本発明が適用可能な電気泳動ディスプレイ２を有する表示装置６の図１に規定されるような断面部分として他の実施例を示す。表示装置６は、第１基板３０、対向する第２基板３１及び複数の表示画素３を有する。好ましくは、表示画素３は、図１に示されるように、２次元構造により実質的な直線に沿って配置される。他の代替例は、例えば、ハニカム構造を有する。荷電粒子３３を有する電気泳動媒体３２が、基板３０と３１の間に置かれる。第１基板３０は、各表示画素３に対し、透過な第１電極３４と第２電極３５を有する。第２電極は、不透過な黒色マトリックスＢにより覆われている。コントローラ７は、データ信号を受信するデータ信号入力１０を有する。コントローラ７は、電極３４と３５及び基板３０のアクティブ回路（図示せず）及び導電ライン３６と３７を介し、ディスプレイ２上に画像を生成するため、表示画素３にデータ信号を分配する。荷電粒子３３は、電極３４と３５の近傍の端の位置及び電極３４と３５の間の中間位置を占有することができる。このようにして、電極３４と３５上に印加される電圧に応じて、グレイレベルを取得することができる。各表示画素３は、画像を表示するため、電極３４と３５の間の荷電粒子３３の位置により決定される輝度レベルＬを有する。例えば、電気泳動媒体３２は、白色バックグラウンド上に位置する透過な流体状の負荷電黒色粒子３３を有する。荷電粒子３３が第１電極３４の近傍などの第１の端の位置にあるとき、１５ボルトなどの電位差の結果として、表示画素３の様相は、例えば黒色となる。ここで、表示画素３が第２基板３１の側から観察されることが考えられる。荷電粒子３３が第２の端の位置、すなわち、第２電極３５の近傍にあるとき、電位差が反対の極性、すなわち、−１５ボルトの結果として、表示画素３の様相は白色となる。荷電粒子３３が電極３４と３５の間の中間位置の１つにあるとき、表示画素３は、白色と黒色の間のグレイレベルであるライトグレイとダークグレイなどの中間的様相の１つを有する。電気泳動ディスプレイ２は、上述のバックライトオプションと共に利用されてもよい。
【００４４】
動作について、電気泳動ディスプレイ２は、例えば、ウィンドウＡに動画を表示するかもしれない。このウィンドウＡに配置される表示画素３は、フレーム期間Ｆがサブ期間Ｆ１とＦ２に時分割される部分Ｓを構成するとして規定される。この分割は、ライン３６を介し表示画素３の二重のアドレッシングにより実現されてもよい。図２に示されるような光出力プロファイルＰが、第１輝度レベルＬ１を取得するため、第１サブ期間Ｆ１中に第１駆動電圧を荷電粒子３３を印加し、第２輝度レベルの光出力を取得するため、第２サブ期間Ｆ２中に第２駆動電圧を印加することにより取得される。
【図面の簡単な説明】
【００４５】
【図１】図１は、本発明の実施例によるアクティブマトリックス表示装置を有する電子装置を示す。
【図２】図２は、本発明の実施例による光出力プロファイルを示す。
【図３】図３Ａ〜Ｃは、本発明の異なる実施例による表示画素の部分の各種具体例を示す。
【図４】図４は、本発明の実施例による電流発光素子を有するディスプレイを有する図１に示されるアクティブマトリックス表示装置の概略図を示す。
【図５】図５は、本発明の実施例による図４に示されるディスプレイの電圧アドレス表示画素を示す。
【図６】図６は、本発明の実施例による図４に示されるディスプレイの電流アドレス電流ミラー表示画素を示す。
【図７】図７は、本発明の実施例による液晶ディスプレイを有するアクティブマトリックス表示装置の図１の断面に沿った概略図を示す。
【図８】図８は、電気泳動ディスプレイを有するアクティブマトリックス表示装置の図１の断面に沿った概略図を示す。
【図１】
2007503610.tif 000004
【図２】
2007503610.tif 000005
【図３Ａ】
2007503610.tif 000006
【図３Ｂ】
2007503610.tif 000007
【図３Ｃ】
2007503610.tif 000008
【図４】
2007503610.tif 000009
【図５】
2007503610.tif 000010
【図６】
2007503610.tif 000011
【図７】
2007503610.tif 000012
【図８】
2007503610.tif 000013
【国際調査報告】
2007503610.tif 000014
2007503610.tif 000015